(57)【要約】      （修正有）【課題】印刷処理が終わり記憶装置に記憶された画像データから、自動的に特定の文字や画像が含まれた画像データを検索することのできる画像形成装置、画像形成方法、およびプログラムを提供する。【解決手段】入力情報を解析し、解析結果から画像データを描画するＣＰＵ１１０と、画像データを記憶するＨＤＤ１０４と、時間の計時を行い、指定時間が経過した場合に、指定時間になった旨を通知するタイマー１１７と、タイマー１１７により指定時間になった旨を通知された場合、ＨＤＤ１０４に記憶された画像データから特定の文字または画像を検索し、検索結果を表す検索画像情報を生成するＣＰＵ１１０と、を備えた。【選択図】図２
2009147820.tif 000002
【特許請求の範囲】
【請求項１】
入力情報を解析し、解析結果から画像データを描画する画像データ描画手段と、
前記画像データを記憶する画像データ記憶手段と、
時間の計時を行い、指定時間が経過した場合に、前記指定時間になった旨を通知するタイマーと、
前記タイマーにより前記指定時間になった旨を通知された場合、前記画像データ記憶手段に記憶された前記画像データから特定の文字または画像を検索し、検索結果を表す検索画像情報を生成する画像検索手段と、
を備えたこと、を特徴とする画像形成装置。
【請求項２】
前記検索画像情報を通知する通知手段をさらに備えたこと、を特徴とする請求項１に記載の画像形成装置。
【請求項３】
前記画像検索手段により前記特定の文字または画像が検索されなかった場合、
前記画像データ記憶手段に記憶された前記画像データを消去する画像データ消去手段をさらに備えたこと、
を特徴とする請求項１または２に記載の画像形成装置。
【請求項４】
入力情報を解析し、解析結果から画像データを描画する画像データ描画手段と、
前記画像データを記憶する画像データ記憶手段と、
前記画像データ記憶手段に記憶された前記画像データの記憶容量を調べる記憶容量管理手段と、
前記記憶容量管理手段が、前記画像データの記憶容量が所定量を超えたと判断した場合、前記画像データ記憶手段に記憶された前記画像データから、特定の文字または画像を検索し、検索結果を表す検索画像情報を生成する画像検索手段と、
を備えたこと、を特徴とする画像形成装置。
【請求項５】
前記検索画像情報を通知する通知手段をさらに備えたこと、を特徴とする請求項４に記載の画像形成装置。
【請求項６】
前記画像検索手段により前記特定の文字または画像が検索されなかった場合、
前記画像データ記憶手段に記憶された前記画像データを消去する画像データ消去手段をさらに備えたこと、
を特徴とする請求項４または５に記載の画像形成装置。
【請求項７】
画像形成装置で実行される画像形成方法であって、
前記画像形成装置は、画像データを記憶可能な画像データ記憶手段を備え、
画像データ描画手段が、入力情報を解析し、解析結果から画像データを描画して前記画像データ記憶手段に記憶する画像データ描画ステップと、
時間の計時を行い、指定時間が経過した場合に、前記指定時間になった旨を通知するタイマーが、指定時間を通知する指定時間通知ステップと、
画像検索手段が、前記指定時間通知ステップで前記指定時間になったと知らされた場合、前記画像データ記憶手段に記憶された前記画像データから、特定の文字または画像を検索し、検索結果を表す検索画像情報を生成する画像検索ステップと、
を含むことを特徴とする画像形成方法。
【請求項８】
画像形成装置で実行される画像形成方法であって、
前記画像形成装置は、画像データを記憶可能な画像データ記憶手段を備え、
画像データ描画手段が、入力情報を解析し、解析結果から画像データを描画して前記画像データ記憶手段に記憶する画像データ描画ステップと、
記憶容量管理手段が、前記画像データ描画ステップで記憶された前記画像データの記憶容量を調べる記憶容量管理ステップと、
画像検索手段が、前記記憶容量管理ステップで、前記画像データの記憶容量が所定量を超えたと判断した場合、前記画像データ記憶手段に記憶された前記画像データから、特定の文字または画像を検索し、検索結果を表す検索画像情報を生成する画像検索ステップと、
検索画像情報手段が、前記画像検索ステップによる検索結果を表す検索画像情報を記憶する検索画像情報ステップと、
を含むことを特徴とする画像形成方法。
【請求項９】
請求項７に記載された画像形成方法をコンピュータに実行させることを特徴とする画像形成プログラム。
【請求項１０】
請求項８に記載された画像形成方法をコンピュータに実行させることを特徴とする画像形成プログラム。
【発明の詳細な説明】
【技術分野】
【０００１】
本発明は、コピー、スキャナ、デジタルカメラ、プリンタ、複合機などの画像形成装置、画像形成方法、およびプログラムに関するものである。
【背景技術】
【０００２】
近年、個人および企業の機密情報の取り扱いが社会的な問題となっており、機密情報の漏洩防止及び漏洩元の特定のための技術が求められている。
【０００３】
例えば、特許文献１では、クライアント装置側で作成された原稿の印刷に対してセキュリティを強化するためにクライアント装置で作成された全ての印刷データが印刷サーバ装置を経由して印刷装置に送信される印刷データ管理システムが開示されている。印刷サーバ装置は、全ての印刷データを取得し、更に印刷装置による印刷データの印刷出力の印刷ログを取得し、取得した印刷データ及び印刷ログを蓄積保管する。そして、印刷サーバ装置は、蓄積保管された印刷データ及び印刷ログに基づいて、情報の漏洩が起きた場合にその漏洩元を追跡することができる。
【０００４】
また、特許文献２では、画像形成装置から出力された原稿および画像形成装置に記憶された原稿のデータが破棄されたことを示す情報を画像ログサーバー上に残すことができる画像形成システムが開示されている。
【０００５】
また、特許文献３では、ＯＣＲ（Optical Character Recognition）認識であらかじめ画像認識をしておいた蓄積画像の出力時に紙幣、著作権保護の必要な文書などの特殊画像に対し特別な変換・処理を施して出力し、出力の管理（配信先、画像データの利用制限・防止、画像データの漏洩防止など）を可能とし、しかもこれを管理者へ報知することができる画像処理装置が開示されている。
【０００６】
【特許文献１】特開２００３−３３０６７７号公報
【特許文献２】特開２００７−１４２９４３号公報
【特許文献３】特開２００６−５００８２号公報
【発明の開示】
【発明が解決しようとする課題】
【０００７】
しかしながら、特許文献１および特許文献２では、印刷する前に画像識別を行い機密情報の印刷を防止するため、印刷サーバーや画像ログサーバーを必要とする。
【０００８】
また、特許文献３では、画像処理装置は、画像データから特殊画像データを認識しており、印刷装置がＰＤＬ（プリンタ記述言語）を解析し、解析結果から画像データを生成し、生成した画像データを印刷するとともに生成した画像データから特定の文字や画像を検索する方法については開示されていない。この場合、印刷装置が画像データの印刷処理と、画像データ内の特定の文字や画像の検索処理とを同時に行うことは可能であるが、印刷スピードを極端に落とすこととなり、作業効率を大きく損なう。
【０００９】
このため、印刷された状態の画像データをＨＤＤなどに保存し、後でプリンタ管理者が印刷された状態の画像データを目視で確認する方法が知られているが、全ての画像データを目視で確認することは、目視する画像データが少ない場合は可能であるが、多い場合は大変な作業となる。また、全ての画像データをＨＤＤに保存する必要があるため、ＨＤＤの記憶容量が一杯になる前にプリンタ管理者が確認する必要があった。
【００１０】
本発明は、上記に鑑みてなされたものであって、印刷処理が終わり記憶装置に記憶された画像データから、自動的に特定の文字や画像が含まれた画像データを検索することのできる画像形成装置、画像形成方法、およびプログラムを提供することを目的とする。
【課題を解決するための手段】
【００１１】
上述した課題を解決し、目的を達成するために、請求項１にかかる発明は、入力情報を解析し、解析結果から画像データを描画する画像データ描画手段と、前記画像データを記憶する画像データ記憶手段と、時間の計時を行い、指定時間が経過した場合に、前記指定時間になった旨を通知するタイマーと、前記タイマーにより前記指定時間になった旨を通知された場合、前記画像データ記憶手段に記憶された前記画像データから特定の文字または画像を検索し、検索結果を表す検索画像情報を生成する画像検索手段と、を備えたこと、を特徴とする。
【００１２】
また、請求項２にかかる発明は、請求項１に記載の画像形成装置において、前記検索画像情報を通知する通知手段をさらに備えたこと、を特徴とする。
【００１３】
また、請求項３にかかる発明は、請求項１または２に記載の画像形成装置において、前記画像検索手段により前記特定の文字または画像が検索されなかった場合、前記画像データ記憶手段に記憶された前記画像データを消去する画像データ消去手段をさらに備えたこと、を特徴とする。
【００１４】
また、請求項４にかかる発明は、入力情報を解析し、解析結果から画像データを描画する画像データ描画手段と、前記画像データを記憶する画像データ記憶手段と、前記画像データ記憶手段に記憶された前記画像データの記憶容量を調べる記憶容量管理手段と、前記記憶容量管理手段が、前記画像データの記憶容量が所定量を超えたと判断した場合、前記画像データ記憶手段に記憶された前記画像データから、特定の文字または画像を検索し、検索結果を表す検索画像情報を生成する画像検索手段と、前記画像検索手段による検索結果を表す検索画像情報を記憶する検索画像情報手段と、を備えたこと、を特徴とする。
【００１５】
また、請求項５にかかる発明は、請求項４に記載の画像形成装置において、前記検索画像情報を通知する通知手段をさらに備えたこと、を特徴とする。
【００１６】
また、請求項６にかかる発明は、請求項４または５に記載の画像形成装置において、前記画像検索手段により前記特定の文字または画像が検索されなかった場合、前記画像データ記憶手段に記憶された前記画像データを消去する画像データ消去手段をさらに備えたこと、を特徴とする。
【００１７】
また、請求項７にかかる発明は、画像形成装置で実行される画像形成方法であって、前記画像形成装置は、画像データを記憶可能な画像データ記憶手段を備え、画像データ描画手段が、入力情報を解析し、解析結果から画像データを描画して前記画像データ記憶手段に記憶する画像データ描画ステップと、画像データ記憶手段が、前記画像データを記憶する画像データ記憶ステップと、時間の計時を行い、指定時間が経過した場合に、前記指定時間になった旨を通知するタイマーが、指定時間を通知す知らせる指定時間通知ステップと、画像検索手段が、前記指定時間通知ステップで前記指定時間になったと知らされた場合、前記画像データ記憶手段ステップにで記憶された前記画像データから、特定の文字または画像を検索し、検索結果を表す検索画像情報を生成する画像検索ステップと、を含むことを特徴とする画像形成方法。
【００１８】
また、請求項８にかかる発明は、画像形成装置で実行される画像形成方法であって、前記画像形成装置は、画像データを記憶可能な画像データ記憶手段を備え、画像データ描画手段が、入力情報を解析し、解析結果から画像データを描画して前記画像データ記憶手段に記憶する画像データ描画ステップと、記憶容量管理手段が、前記画像データ描画ステップで記憶された前記画像データの記憶容量を調べる記憶容量管理ステップと、画像検索手段が、前記記憶容量管理ステップで、前記画像データの記憶容量が所定量を超えたと判断した場合、前記画像データ記憶手段に記憶された前記画像データから、特定の文字または画像を検索し、検索結果を表す検索画像情報を生成する画像検索ステップと、検索画像情報手段が、前記画像検索ステップによる検索結果を表す検索画像情報を記憶する検索画像情報ステップと、を含むことを特徴とする。
【００１９】
また、請求項９にかかる発明は、請求項７に記載された画像形成方法をコンピュータに実行させることを特徴とする。
【００２０】
また、請求項１０にかかる発明は、請求項８に記載された画像形成方法をコンピュータに実行させることを特徴とする。
【発明の効果】
【００２１】
本発明によれば、タイマーで指定された時間になると、画像検索処理手段が、画像データ記憶手段に保存された画像データに特定の文字または画像があるかどうかを自動的に検索するので、プリンタ管理者による検索作業が不要になるという効果を奏する。
【００２２】
また、本発明によれば、画像データ記憶手段の記憶容量が一杯になる前に、画像検索処理手段が、画像データ記憶手段に保存された画像データに特定の文字または画像があるかどうかを自動的に検索するので、プリンタ管理者による検索作業が不要になるという効果を奏する。
【発明を実施するための最良の形態】
【００２３】
以下に添付図面を参照して、この発明にかかる画像形成装置、画像形成方法、およびプログラムの最良な実施の形態を詳細に説明する。
【００２４】
（実施の形態）
図１は、この発明を実施した多色画像形成装置の機構部の構成例を示す図である。この多色画像形成装置において、符号１は像担持体であるベルト状の感光体であり、その感光体１は回転ローラ２、３により回動可能に支持され、その各回転ローラ２、３の駆動により矢示Ａ方向に回動される。感光体１の外周部には、帯電手段である帯電部４、除電ランプＬ、感光体１用のクリーニングブレード１５Ａが配置されている。帯電部４の下流位置には、光書込手段であるレーザ書き込みユニット５より発せられるレーザ光が照射される光書き込み部がある。
【００２５】
光書き込み部より下流位置には、複数の現像ユニット（現像手段）が切り換え自在に支持された多色現像部６が配置されている。多色現像部６は、収容するトナーの色毎に、イエロー現像ユニット、マゼンタ現像ユニット、シアン現像ユニットを備えている。多色現像部６の上部には、黒色トナーを収容したブラック現像ユニット７が備えられている。
【００２６】
これらの各現像ユニットのいずれか１つが対応する色の現像タイミングに同期し、現像可能な位置に移動する。多色現像部６は、円周上１２０度の回転によっていずれかの現像ユニットを選択する機能を有している。そして、これらの現像ユニットが稼動するときには、ブラック現像ユニット７は感光体１より離間した位置に移動する。その移動は、カム４５の回転により行なわれる。
【００２７】
レーザ書き込みユニット５は、図示しないレーザ光源から複数色の画像形成信号（書き込み情報）に応じたレーザ光を順次発生させ、ポリゴンモータ５Ａによって回転されるポリゴンミラー５Ｂを用いてそのレーザ光を周期的に偏向させ、ｆθレンズ５Ｃおよびミラー５Ｄなどを経て、帯電された感光体１の表面を走査してその表面に静電潜像を形成させる。
【００２８】
感光体１の表面に形成される静電潜像は、対応する現像ユニットからのトナーによって現像され、トナー画像が形成され保持される。中間転写ベルト１０は、感光体１に隣接しており、回転ローラ１１、１２により矢示Ｂ方向に回動可能に支持されている。感光体１上のトナー画像は、中間転写ベルト１０の裏側にある転写ブラシ（第１の転写手段）１３により、その中間転写ベルト１０の表面に転写される。
【００２９】
感光体１の表面は１色毎にクリーニングブレード１５Ａによりクリーニングされ、その表面に所定色のトナー画像が形成される。そして、その都度中間転写ベルト１０の１回動毎にその表面の同じ位置に感光体１上のトナー画像が転写されて、中間転写ベルト１０上に複数色のトナー画像が重ね合わせられて保持される。その後、そのトナー画像は用紙やプラスチックなどの記録媒体に転写される。
【００３０】
用紙への転写に際しては、給紙部（給紙カセット）１７に収納されている用紙が給紙ローラ１８によって繰り出されて搬送ローラ１９により搬送され、レジストローラ対２０に付き当てられた状態で一旦停止された後、トナー画像の転写位置が正規のものとなるようにタイミングがとられて中間転写ベルト１０と転写ローラ（第２の転写手段）１４のニップに再搬送される。
【００３１】
そして、その用紙は転写ローラ１４の作用により中間転写ベルト１０上の複数色のトナー画像が一括転写された後、定着部５０に送られ、そこでトナー像が定着された後、排紙ローラ対５１により本体フレーム９の上部の排紙スタック部５２に排出される。
【００３２】
中間転写ベルト１０には、回転ローラ１１の部位に中間転写ベルト１０用のクリーニング部１６が設けられ、クリーニングブレード１６Ａがクリーニングブレード接離用アーム１６Ｃを介して接離自在の構成となっている。このクリーニングブレード１６Ａは、感光体１からトナー画像を受け取る工程では、中間転写ベルト１０から離れ、中間転写ベルト１０より用紙にトナー画像が転写された後に接触するようになっていて、用紙にトナー画像が転写された後の残留トナーをかきとる。
【００３３】
クリーニングブレードは、すでに記したように、感光体１用と中間転写ベルト１０用がある。これらブレードがかきとった廃トナーは、回収容器１５に収納する。その回収容器１５は適宜交換される。中間転写ベルト１０用のクリーニング部１６の内部に設けられたオーガ１６Ｂが、クリーニングブレード１６Ａでかきとられた廃トナーを搬送し、図示しない搬送手段で回収容器１５に送るようになっている。
【００３４】
符号３１はユニット化されたプロセスカートリッジで、感光体１、帯電部４、中間転写ベルト１０、クリーニング部１６、用紙搬送路を形成する搬送ガイド３０などを一体に組み込み、寿命到来時に交換できるように構成されている。プロセスカートリッジ３１の交換のほかに、多色現像部６、ブラック現像ユニット７なども寿命到来時に交換するが、その交換性やジャム紙の処理を容易にするため、本体の一部の前フレーム８は支軸９Ａを中心に開閉可能に回動できる構造にしてある。
【００３５】
図１の左側には、電装・制御部６０が収納されている。その上方には、ファン５８が備えられており、機内の温度過昇防止のために排風する。図の右側には、比較的小規模な別の給紙部５９が備えられている。なお、この実施の形態では、中間転写体として中間転写ベルト１０を使用したが、中間転写ドラムを使用することもできる。
【００３６】
（プリンタコントローラボードおよびプリンタエンジン）
図２は、図１の電装・制御部６０におけるプリンタコントローラボードおよびプリンタエンジンの構成を示すブロック図であり、図３は、プリンタコントローラボードおよびプリンタエンジンにおける処理の概念を示すブロック図である。
【００３７】
プリンタコントローラボード１０１は、画像形成装置の制御を行う。プリンタコントローラボード１０１は、メモリコントローラ内蔵ＣＰＵ１０２、メインメモリ１０３、ＨＤＤ１０４、ＲＯＭ１０５、バス１０６、画像処理ＡＳＩＣ１０７、パネル制御ＡＳＩＣ１０８、および、パネル１０９を備えて構成されている。
【００３８】
メモリコントローラ内蔵ＣＰＵ１０２は、画像形成装置全体やメモリの制御を行う。メモリコントローラ内蔵ＣＰＵ１０２は、ＣＰＵ１１０、ＣＰＵＩ／Ｆ１１１、メモリアービター１１２、メモリコントローラ１１３、ＨＤＤコントローラ１１４、バスコントローラ１１５、通信コントローラ１１６、および、タイマー１１７を備えて構成されている。
【００３９】
ＣＰＵ１１０は、制御部、描画処理部、および、画像検索処理部として機能する。具体的には、ＣＰＵ１１０は制御部として、画像形成装置全体（プリンタコントローラボード１０１）を制御する。さらに、ＣＰＵ１１０は描画処理部として、後述するプリンタ利用者用ＰＣ（パーソナルコンピュータ）１２７ａから受け取ったＰＤＬ（ページ記述言語）データを解析し、後述する画像処理部１２１用の画像処理パラメータを生成し、メインメモリ１０３へ画像処理パラメータを書き込み、メインメモリ１０３へＲＧＢバンド画像データの描画を行う。
【００４０】
また、ＣＰＵ１１０は画像検索処理部として、後述するＪＰＥＧ復号部１２０により復号されたＲＧＢバンド画像データに画像検索処理（ＯＣＲ処理など）を行い、画像データの中に指定された文字（丸秘、印刷禁止、CONFIDENTIALなど）や指定された画像（新製品の画像、開発中の製品画像など）があるかどうか検索する。そして、画像検索処理の結果、画像データの中に指定された文字や画像があれば、検索結果から検索画像情報を生成し、メインメモリ１０３へ検索画像情報を書き込み、さらにネットワークを介して後述するプリンタ管理者用ＰＣ１２７ｂへ検索画像情報をメールで通知する。画像データの中に指定された文字や画像がなければ、復号したＲＧＢバンド画像データの元であるＲＧＢページ符号をＨＤＤ１０４から消去する。
【００４１】
ＣＰＵＩ／Ｆ１１１は、ＣＰＵ１１０のインタフェースであり、メモリアービター１１２を介して、メインメモリ１０３や各種コントローラと接続されている。メモリアービター１１２は、メインメモリ１０３と各種のコントローラ間の調停を行う。メモリコントローラ１１３は、メインメモリ１０３を制御し、メモリアービター１１２を介して、各種コントローラやＣＰＵ１１０と接続されている。
【００４２】
ＨＤＤコントローラ１１４は、ＨＤＤ１０４を制御する。その一例として、ＨＤＤコントローラ１１４は、メインメモリ１０３に一時的に記憶されたＲＧＢページ符号を読み込み、ＨＤＤ１０４へ転送する。そして、ＨＤＤ１０４に保存されたＲＧＢページ符号がＨＤＤ１０４の記憶容量における所定量を超えたと判断した場合、ＣＰＵ（画像検索処理部）１１０が画像検索処理を行う。
【００４３】
バスコントローラ１１５は、バス１０６とつながる各周辺コントローラとのバスの調停を行う。
【００４４】
通信コントローラ１１６は、ネットワークに接続されており、ネットワークから各種データやコマンドなどを受け取り、メモリアービター１１２を介して各種のコントローラに接続されている。その一例として、通信コントローラ１１６は、プリンタ利用者用ＰＣ１２７ａからＰＤＬデータを受け取り、受け取ったＰＤＬデータはメインメモリ１０３へ一時的に記憶される。
【００４５】
タイマー１１７は、時間の計時を行い、指定時間が経過した場合に、指定時間になった旨を通知する。タイマー１１７により指定時間になった旨を通知された場合、ＣＰＵ（画像検索処理部）１１０が画像検索処理を行う。
【００４６】
メインメモリ１０３は、画像データや、その符号データや、ＣＰＵ１１０のプログラムなどを一時的に記憶する。より詳しくは、メインメモリ１０３は、ＰＤＬデータ、プログラム、ＲＧＢバンド画像データ、ＲＧＢページ符号、画像処理パラメータ、階調処理後ページ画像データ、および、検索画像情報などの各種のワークデータを一時的に記憶する。
【００４７】
図４は、メインメモリ１０３のフォーマットを示す図である。メインメモリ１０３は、ＰＤＬメモリ領域１０３ａ、プログラム領域１０３ｂ、ＲＧＢバンド画像メモリ領域１０３ｃ、ＲＧＢページ符号メモリ領域１０３ｄ、画像処理パラメータメモリ領域１０３ｅ、階調処理後ページ画像メモリ領域１０３ｆ、検索画像情報メモリ領域１０３ｇ、および、その他の領域からなる。
【００４８】
ＰＤＬメモリ領域１０３ａには、ＰＤＬデータが一時的に記憶される。プログラム領域１０３ｂには、プログラムが一時的に記憶される。ＲＧＢバンド画像メモリ領域１０３ｃには、ＲＧＢバンド画像データが一時的に記憶される。ＲＧＢページ符号メモリ領域１０３ｄには、ＲＧＢページ符号が一時的に記憶される。画像処理パラメータメモリ領域１０３ｅには、画像処理パラメータが一時的に記憶される。例えば、画像処理パラメータは、格子点データ、ガンマデータ、しきい値マトリックスデータ、ＤＭＡパラメータ、および、ハーフトンパラメータなどである。階調処理後ページ画像メモリ領域１０３ｆには、階調処理後ページ画像データが一時的に記憶される。検索画像情報メモリ領域１０３ｇには、検索画像情報が一時的に記憶される。その他の領域にはその他のデータが一時的に記憶される。
【００４９】
ＨＤＤ１０４は、画像データや、そのＲＧＢページ符号などを記憶する。ＲＯＭ１０５は、各種のプログラムや、文字などのフォント情報を記憶している。バス１０６は、メモリコントローラ内蔵ＣＰＵ１０２、画像処理ＡＳＩＣ１０７、および、パネル制御ＡＳＩＣ１０８を接続する。
【００５０】
画像処理ＡＳＩＣ１０７は、画像処理を行う。画像処理ＡＳＩＣ１０７は、バスＩ／Ｆ１１８、ＪＰＥＧ符号化部１１９、ＪＰＥＧ復号部１２０、画像処理部１２１、ＤＭＡ部１２２、および、エンジンコントローラ１２３、を備えて構成されている。
【００５１】
バスＩ／Ｆ１１８は、バス１０６のインタフェース処理を行い、メモリコントローラ内蔵ＣＰＵ１０２と接続する。
【００５２】
ＪＰＥＧ符号化部１１９は、メインメモリ１０３に一時的に記憶されたＲＧＢバンド画像データを読み込み符号化し、符号化したＲＧＢページ符号をメインメモリ１０３へ書き込む。
【００５３】
ＪＰＥＧ復号部１２０は、ＣＰＵ（画像検索処理部）１１０が画像検索処理を行った場合、ＨＤＤ１０４に記憶され、その後メインメモリ１０３へ一時的に記憶されたＲＧＢページ符号を読み込み復号し、復号したＲＧＢバンド画像データをメインメモリ１０３へ書き込む。
【００５４】
画像処理部１２１は、メインメモリ１０３に一時的に記憶された画像処理パラメータとＲＧＢバンド画像データとを読み込み、画像処理を行い、階調処理後ページ画像データを描画し、メインメモリ１０３へ書き込む。
【００５５】
ＤＭＡ部１２２は、プリンタエンジン１２６に同期して、画像処理部１２１で画像処理され、メインメモリ１０３に一時的に記憶された階調処理後ページ画像データを読み込み、エンジンコントローラ１２３へ転送する。
【００５６】
エンジンコントローラ１２３は、プリンタエンジン１２６を制御する。その一例として、エンジンコントローラ１２３は、ＤＭＡ部１２２から受け取った階調処理後ページ画像データをプリンタエンジン１２６へ転送する。
【００５７】
パネル制御ＡＳＩＣ１０８は、パネル１０９の制御を行う。パネル制御ＡＳＩＣ１０８は、バスＩ／Ｆ１２４とパネルコントローラ１２５とを備えて構成されている。バスＩ／Ｆ１２４は、パネルコントローラ１２５のデータをメモリコントローラ内蔵ＣＰＵ１０２へ転送する。パネルコントローラ１２５は、パネル１０９を制御している。パネル１０９は、ユーザーからの操作を画像形成装置へ知らせる。
【００５８】
プリンタエンジン１２６は、エンジンコントローラ１２３から送られる画像データを用紙やプラスチックなどの記録媒体に出力する。プリンタ利用者用ＰＣ１２７ａは、ＰＤＬデータを生成し、ネットワークを介して画像形成装置（プリンタコントローラボード１０１）へ転送する。プリンタ管理者用ＰＣ１２７ｂは、ネットワークを介して、画像形成装置（プリンタコントローラボード１０１）から検索画像情報をメールで受け取り、画像形成装置（プリンタコントローラボード１０１）から対応する画像の印刷画像情報（復号したＲＧＢバンド画像データ）を読み込む。
【００５９】
（画像処理部）
図５は、画像処理部１２１の構成を示すブロック図である。画像読み込み＆画像書き込み部１３１は、バスＩ／Ｆ１１８と接続され、メインメモリ１０３から画像処理パラメータとＲＧＢバンド画像データとを読み込み、メインメモリ１０３へ階調処理後ページ画像データを書き込む。メモリアドレス生成部１３２は、画像処理パラメータとＲＧＢバンド画像データとを読み込むためのアドレスを生成し、かつ、階調処理後ページ画像データを書き込むためのアドレスを生成する。
【００６０】
格子点データ記憶部１３３は、画像読み込み＆画像書き込み部１３１から受け取った色変換処理部１３７に必要な画像処理パラメータの格子点データなどを格納する。ガンマテーブル記憶部１３４は、画像読み込み＆画像書き込み部１３１から受け取った色変換処理部１３７に必要な画像処理パラメータのガンマデータなどを格納する。ハーフトンパラメータ記憶部１３５は、画像読み込み＆画像書き込み部１３１から受け取ったハーフトン処理部１３９に必要な画像処理パラメータのハーフトンパラメータなどを格納する。しきい値マトリックス記憶部１３６は、画像読み込み＆画像書き込み部１３１から受け取ったハーフトン処理部１３９に必要な画像処理パラメータのしきい値マトリックスデータなどを格納する。
【００６１】
色変換処理部１３７は、画像読み込み＆画像書き込み部１３１からＲＧＢ値を読み込みＲＧＢ->ＣＭＹの色変換処理とＢＧ／ＵＣＲ処理を行い、生成された多値ＣＭＹＫデータから、１つの版を選択し多値ＣＭＹＫライン記憶部１３８へ転送する。多値ＣＭＹＫライン記憶部１３８は、色変換処理部１３７から転送された多値ＣＭＹＫデータを１ライン分格納する。ハーフトン処理部１３９は、しきい値マトリックス記憶部１３６からしきい値マトリックスデータを読み込み、多値ＣＭＹＫライン記憶部１３８からデータを受け取ることによりハーフトン処理を実行し、画像読み込み＆画像書き込み部１３１へ画像処理後の階調処理後画像データを転送する。コントローラ１４０は、画像処理部１２１の全体を制御する。
【００６２】
図６は、画像処理部１２１の処理動作を示すフローチャートである。この図において、まず、バンドラインカウンタを０にし（ステップＳ６０１）、バンドラインカウンタのラインのＲＧＢバンドの画像データを読み込み色変換処理部１３７へ転送する（ステップＳ６０２）。続いて、バンドラインカウンタのラインの属性バンドの属性データを読み込み属性ライン記憶部（図示せず）へ転送する（ステップＳ６０３）。続いて、ラインメモリ読み込みアドレスを０にする（ステップＳ６０４）。
【００６３】
その後、色変換処理部１３７は、各画素ごとのＲＧＢ値を多値Ｒ、Ｇ、Ｂライン記憶部（図示せず）から、属性値を属性ライン記憶部（図示せず）から読み込み、属性により色変換テーブルを切りかえ、ＲＧＢ→ＣＭＹＫの色変換を行いＣ版の画像を生成し、多値ＣＭＹＫライン記憶部１３８へ転送する(ステップＳ６０５)。そして、多値ＣＭＹＫライン記憶部１３８で、１ライン分のデータを記憶する(ステップＳ６０６)。
【００６４】
続いて、ハーフトン処理部１３９は、解像度変換後の画像データを、属性データによりしきい値テーブルを切り換え、ハーフトン処理を行い、画像処理後バッファ部（図示せず）へ転送し、バスを介してＣ版のバンドメモリ領域へ転送する（ステップＳ６０７）。つぎに１ライン分の画像データを処理したか否かを判断する（ステップＳ６０８）。ここで１ライン分の画像データを処理していなければ（ステップＳ６０８：Ｎｏ）、ラインメモリ読み込みアドレスを一つインクリメントし（ステップＳ６０９）、ステップＳ６０５に戻る。
【００６５】
ステップＳ６０８において、１ライン分の画像データを処理したと判断したならば（ステップＳ６０８：Ｙｅｓ）、Ｃ版と同様にＭ版を描画し（ステップＳ６１０）、続いて、Ｃ版と同様にＹ版を描画し（ステップＳ６１１）、続いて、Ｃ版と同様にＫ版を描画する（ステップＳ６１２）。
【００６６】
その後、バンドラインカウンタ＜ＲＧＢバンド高さであるかを判断する（ステップＳ６１３）。ここでソースカウンタ＜ＲＧＢバンド高さである場合（ステップＳ６１３：Ｙｅｓ）、バンドラインカウンタを一つインクリメントし（ステップＳ６１４）、ステップＳ６０２に戻る。一方、ステップＳ６１３においてソースカウンタ＜ＲＧＢバンド高さではない場合（ステップＳ６１３：Ｎｏ）、この処理を終了する。
【００６７】
（ＪＰＥＧ符号化部およびＪＰＥＧ復号部）
図７は、ＪＰＥＧ符号化部１１９の詳細構成を示すブロック図である。画像読み込み＆符号書き込み部１５１は、バスＩ／Ｆ１１８と接続され、メインメモリ１０３からＲＧＢバンド画像データを読み込み、メインメモリ１０３へＲＧＢページ符号を書き込む。バッファ１５２は、ＲＧＢバンド画像データを一時記憶する。ＪＰＥＧ符号化部１５３は、ＪＰＥＧ規格の符号化方式によりＲＧＢバンド画像データを符号化し、符号化したＲＧＢページ符号をバッファ１５４へ転送する。バッファ１５４は、ＲＧＢページ符号を一時記憶する。メモリアドレス生成部１５５は、ＲＧＢバンド画像データを読み込むためのアドレスを生成し、かつ、ＲＧＢページ符号を書き込むためのアドレスを生成する。コントローラ１５６は、ＪＰＥＧ符号化部１１９を制御する。
【００６８】
図８は、ＪＰＥＧ復号部１２０の詳細構成を示すブロック図である。符号読み込み部１６１は、バスＩ／Ｆ１１８と接続され、メインメモリ１０３からＲＧＢページ符号を読み込む。バッファ１６２は、ＲＧＢページ符号を一時記憶する。ＪＰＥＧ復号部１６３は、ＪＰＥＧ規格の復号方式によりＲＧＢページ符号を復号し、復号したＲＧＢバンド画像データをバッファ１６４へ転送する。バッファ１６４は、ＲＧＢバンド画像データを一時記憶する。メモリアドレス生成部１６５は、ＲＧＢページ符号を読み込むためのアドレスを生成する。コントローラ１６６は、ＪＰＥＧ復号部１２０を制御する。
【００６９】
（画像形成方法）
次に、本発明の実施の形態にかかる画像形成装置の画像形成方法のうち、ＰＤＬデータから画像データを生成し、当該画像データを用紙やプラスチックなどの記録媒体に出力するとともに、当該画像データをＪＰＥＧデータに変換して記憶する方法について説明する。図９は、本発明の実施の形態にかかる画像形成装置の画像形成処理方法のフローチャートである。通信コントローラ１１６が受け取ったＰＤＬデータは、メインメモリ１０３のＰＤＬメモリ領域１０３ａに記憶される（ステップＳ９０１）。ＣＰＵ１１０（描画処理部）は、ＰＤＬメモリ領域１０３ａに記憶されたＰＤＬデータを解析し、画像処理部１２１用の画像処理パラメータを生成する。そして、画像処理パラメータは、メインメモリ１０３の画像処理パラメータメモリ領域１０３ｅに記憶される（ステップＳ９０２）。
【００７０】
ＣＰＵ（描画処理部）１１０は、さらに、ＰＤＬメモリ領域１０３ａに記憶されたＰＤＬデータを解析し、メインメモリ１０３のＲＧＢバンド画像メモリ領域１０３ｃへＲＧＢバンド画像を描画する（ステップＳ９０３）。ＲＧＢバンド画像データは、ＲＧＢバンド画像メモリ領域１０３ｃに記憶される（ステップＳ９０４）。
【００７１】
画像処理部１２１は、画像処理パラメータメモリ領域１０３ｅに記憶された画像処理パラメータを受け取り、ＲＧＢバンド画像メモリ領域１０３ｃに記憶されたＲＧＢバンド画像データを読み込み、色変換や階調処理などの画像処理を行い、階調処理後ページ画像データをメインメモリ１０３へ転送する（ステップＳ９０５）。階調処理後ページ画像データは、メインメモリ１０３の階調処理後ページ画像メモリ領域１０３ｆに記憶される（ステップＳ９０６）。
【００７２】
ＤＭＡ部１２２は、階調処理後ページ画像メモリ領域１０３ｆに記憶された階調処理後ページ画像データを読み込み、エンジンコントローラ１２３へ転送する。そして、プリンタエンジン１２６は、エンジンコントローラ１２３から送られる階調処理後ページ画像データを用紙やプラスチックなどの記録媒体に出力する。（ステップＳ９０７）。
【００７３】
ステップＳ９０５〜Ｓ９０７の処理と並行して、ステップＳ９０４の処理後、ＪＰＥＧ符号化部１１９は、ＲＧＢバンド画像メモリ領域１０３ｃに記憶されたＲＧＢバンド画像データを読み込み、符号化処理を行い、ＲＧＢページ符号をメインメモリ１０３へ転送する（ステップＳ９０８）。ＲＧＢページ符号は、メインメモリ１０３のＲＧＢページ符号メモリ領域１０３ｄに記憶され、その後、ＨＤＤ１０４に記憶される（ステップＳ９０９）。以上のステップを経て、画像データの用紙やプラスチックなどの記録媒体への出力と、画像データのＪＰＥＧ符号化および蓄積とが同時に行われる。図１０は、ＲＧＢバンド画像と階調処理後ページ画像の一例を示す図である。
【００７４】
（画像検索処理方法）
次に、本発明の実施の形態にかかる画像形成装置の画像形成方法のうち、ＨＤＤに記憶されていたＪＰＥＧデータを画像データに復号し、当該画像データの中に指定された文字（丸秘、印刷禁止、CONFIDENTIALなど）や指定された画像（新製品の画像、開発中の製品画像など）があるかどうか画像検索する方法について説明する。図１１は、画像検索処理方法のフローチャートである。
【００７５】
タイマー１１７により指定時間になった旨を通知されたか、ＨＤＤコントローラ１１４がＨＤＤ１０４における記憶容量が所定量を超えたと判断すると（ステップＳ１１０１：Ｙｅｓ）、ＣＰＵ（画像検索処理部）１１０は画像検索処理を開始する。
【００７６】
ＪＰＥＧ復号部１２０は、画像のＪＰＥＧ復号を行う（ステップＳ１１０２）。具体的には、ＨＤＤ１０４に記憶されていたＲＧＢページ符号がメインメモリ１０３へ一時的に記憶されると、ＪＰＥＧ復号部１２０がＲＧＢページ符号を読み込み復号し、復号したＲＧＢバンド画像データをメインメモリ１０３へ書き込む。
【００７７】
ＣＰＵ（画像検索処理部）１１０は、画像検索を行う（ステップＳ１１０３）。具体的には、ＣＰＵ（画像検索処理部）１１０は、復号したＲＧＢバンド画像データにＯＣＲ認識処理などを行う。そして、ＣＰＵ（画像検索処理部）１１０は、当該画像データの中に指定された文字（丸秘、印刷禁止、CONFIDENTIALなど）や指定された画像（新製品の画像、開発中の製品画像など）があるか否かを判断する（ステップＳ１１０４）。
【００７８】
ＣＰＵ（画像検索処理部）１１０が、当該画像データの中に指定された文字や画像があると判断した場合（ステップＳ１１０４：Ｙｅｓ）、当該画像データについての検索結果である検索画像情報を生成し、メインメモリ１０３へ書き込む（ステップＳ１１０５）。さらに、ＣＰＵ（画像検索処理部）１１０は、ネットワークを介してプリンタ管理者用ＰＣ１２７ｂへ当該検索画像情報をメールで通知する。図１２は、検索画像情報の一例を示す図である。このようにして、プリンタ管理者は検索が行われた事実と検索結果とを知ることができる。そして、通知を受けたプリンタ管理者用ＰＣ１２７ｂは、画像形成装置から対応する画像の印刷画像情報（復号したＲＧＢバンド画像データ）を読み込む。
【００７９】
ＣＰＵ（画像検索処理部）１１０が、当該画像データの中に指定された文字や画像がないと判断した場合（ステップＳ１１０４：Ｎｏ）、ＨＤＤコントローラ１１４は、ＨＤＤ１０４に記憶されていた当該画像データに対応するＲＧＢページ符号を消去する（ステップＳ１１０６）。このようにして、ＨＤＤ１０４の記憶容量を圧迫する不要なＲＧＢページ符号を消去することができる。
【００８０】
ＣＰＵ（画像検索処理部）１１０は、ＨＤＤ１０４に記憶された全ての画像（ＲＧＢページ符号）を検索したか否かを判断する（ステップＳ１１０７）。ＣＰＵ（画像検索処理部）１１０が、全ての画像（ＲＧＢページ符号）を検索していないと判断した場合（ステップＳ１１０７：Ｎｏ）、ステップＳ１１０２へ戻り、次の画像のＪＰＥＧ復号を行い、画像検索を行う。ＣＰＵ（画像検索処理部）１１０が、全ての画像（ＲＧＢページ符号）を検索していると判断した場合（ステップＳ１１０７：Ｙｅｓ）、画像検索処理を終了する。
【００８１】
本実施の形態では、画像データをＲＧＢページ符号としてＨＤＤに記憶し、ＲＧＢページ符号を復号したＲＧＢバンド画像データを画像検索する方法について説明したが、画像データをＣＭＹ画像データやＣＭＹＫ画像データとしてＨＤＤに記憶し、ＣＭＹ画像やＣＭＹＫ画像を画像検索してもよい。
【００８２】
このように、本実施の形態にかかる画像形成装置によれば、タイマーで指定された時間になると、ＨＤＤに保存されたＲＧＢページ符号がメインメモリに読み込まれ、ＲＧＢページ符号が復号され、復号したＲＧＢバンド画像データに特定の文字または画像があるかどうかを自動的に検索することができるので、プリンタ管理者による検索作業を不要にすることが可能である。
【００８３】
さらに、本実施の形態にかかる画像形成装置によれば、ＨＤＤにおける記憶容量が所定量を超えたと判断されると、ＨＤＤに保存されたＲＧＢページ符号がメインメモリに読み込まれ、ＲＧＢページ符号が復号され、復号したＲＧＢバンド画像データに特定の文字または画像があるかどうかを自動的に検索することができるので、プリンタ管理者による検索作業を不要にすることが可能である。
【００８４】
さらに、本実施の形態にかかる画像形成装置によれば、検索結果をプリンタ管理者へ通知することができるので、プリンタ管理者は検索が行われた事実と検索結果とを知ることが可能である。
【００８５】
さらに、本実施の形態にかかる画像形成装置によれば、復号したＲＧＢバンド画像データに特定の文字または画像が検索されなかった場合、ＨＤＤに保存された対応するＲＧＢページ符号を消去することができるので、ＨＤＤの記憶容量を圧迫する不要なＲＧＢページ符号を消去することが可能である。
【００８６】
ところで、これまで説明してきた実施の形態における画像形成方法（動作）を、プログラム化し、コンピュータ読み取り可能な記録媒体に記録し、コンピュータ上で実行することもできる。また、画像処理方法の一部をネットワーク上に有し、通信回線を通して実現することもできる。
【００８７】
すなわち、この実施の形態で説明した画像形成方法は、図１３に示すように、あらかじめ用意されたプログラムをパーソナルコンピュータやワークステーションなどのコンピュータ（ＣＰＵ２００）で実行することにより実現される。このプログラムは、キーボード２０５の操作などにより、メモリ２０１、ハードディスク２０４、フレキシブルディスク２０７、ＣＤ−ＲＯＭ（Ｃｏｍｐａｃｔ−Ｄｉｓｃ  Ｒｅａｄ  Ｏｎｌｙ  Ｍｅｍｏｒｙ）２０６、ＭＯ（Ｍａｇｎｅｔｏ  Ｏｐｔｉｃａｌ）、ＤＶＤ（Ｄｉｇｉｔａｌ  Ｖｅｒｓａｔｉｌｅ  Ｄｉｓｃ）などのコンピュータで読み取り可能な記録媒体に記録され、コンピュータ（ＣＰＵ２００）によって記録媒体から読み出し、必要に応じて表示装置２０３に表示することによって実行される。また、必要に応じてこの画像形成方法のデータを通信装置２０２から外部装置に送受信することも可能である。
【００８８】
また、このプログラムは、図１４に示すように、上記記録媒体を介して、インターネット２１０などのネットワークによってパーソナルコンピュータなどの装置２１１〜２１３に配布することができる。
【００８９】
すなわち、このプログラムは、たとえばコンピュータに内蔵されている記録媒体としてのハードディスクに、あらかじめインストールした状態で提供することができる。プログラムは記録媒体に一時的あるいは永続的に格納し、コンピュータにユニットとして組み込んだり、あるいは着脱式の記録媒体として利用することで、パッケージソフトウェアとして提供することができる。
【００９０】
記録媒体としては、たとえば、フレキシブルディスク、ＣＤ−ＲＯＭ、ＭＯディスク、ＤＶＤ、磁気ディスク、半導体メモリなどが利用できる。
【００９１】
プログラムは、ダウンロードサイトから、ＬＡＮ（Ｌｏｃａｌ  Ａｒｅａ  Ｎｅｔｗｏｒｋ）やインターネットといったネットワークを介して、有線または無線でコンピュータに転送し、そのコンピュータにおいて、内蔵するハードディスクなどの記憶装置にダウンロードさせるようにすることができる。
【産業上の利用可能性】
【００９２】
以上のように、本発明にかかる画像形成装置、画像形成方法、およびプログラムは、複写機、スキャナ、デジタルカメラ、プリンタなどに有用であり、特に、取り込まれた画像データを圧縮処理して記憶し、復号化された画像データを印刷出力する装置に適している。
【図面の簡単な説明】
【００９３】
【図１】この発明を実施した多色画像形成装置の機構部の構成例を示す図である。
【図２】図１の電装・制御部におけるプリンタコントローラボードおよびプリンタエンジンの構成を示すブロック図である。
【図３】プリンタコントローラボードおよびプリンタエンジンにおける処理の概念を示すブロック図である。
【図４】メインメモリのフォーマットを示す図である。
【図５】画像処理部の構成を示すブロック図である。
【図６】画像処理部の処理動作を示すフローチャートである。
【図７】ＪＰＥＧ符号化部の詳細構成を示すブロック図である。
【図８】ＪＰＥＧ復号部の詳細構成を示すブロック図である。
【図９】本発明の実施の形態にかかる画像形成装置の画像形成処理方法のフローチャートである。
【図１０】ＲＧＢバンド画像と階調処理後ページ画像の一例を示す図である。
【図１１】画像検索処理方法のフローチャートである。
【図１２】検索画像情報の一例を示す図である。
【図１３】本発明の実施の形態にかかる画像形成方法をコンピュータに実行させる例を示すブロック図である。
【図１４】本発明の実施の形態にかかる画像形成方法をネットワーク上からダウンロードして実行させる例を示すブロック図である。
【符号の説明】
【００９４】
１  感光体
２、３  回転ローラ
４  帯電部
５  レーザ書き込みユニット
５Ａ  ポリゴンモータ
５Ｂ  ポリゴンミラー
５Ｃ  ｆθレンズ
５Ｄ  ミラー
６  多色現像部
７  ブラック現像ユニット
８  前フレーム
９  本体フレーム
９Ａ  支軸
１０  中間転写ベルト
１１、１２  回転ローラ
１３  転写ブラシ（第１の転写手段）
１４  転写ローラ（第２の転写手段）
１５  回収容器
１５Ａ、１６Ａ  クリーニングブレード
１６  クリーニング部
１６Ｂ  オーガ
１６Ｃ  アーム
１７  給紙部（給紙カセット）
１８  給紙ローラ
１９  搬送ローラ
２０  レジストローラ対
３０  搬送ガイド
３１  プロセスカートリッジ
４５  カム
５０  定着部
５１  排紙ローラ対
５２  排紙スタック部
５８  ファン
５９  給紙部
６０  電装・制御部
１０１  プリンタコントローラボード
１０２  メモリコントローラ内蔵ＣＰＵ
１０３  メインメモリ
１０４  ＨＤＤ
１０５  ＲＯＭ
１０６  バス
１０７  画像処理ＡＳＩＣ
１０８  パネル制御ＡＳＩＣ
１０９  パネル
１１０  ＣＰＵ
１１１  ＣＰＵＩ／Ｆ
１１２  メモリアービター
１１３  メモリコントローラ
１１４  ＨＤＤコントローラ
１１５  バスコントローラ
１１６  通信コントローラ
１１７  タイマー
１１８  バスＩ／Ｆ
１１９  ＪＰＥＧ符号化部
１２０  ＪＰＥＧ復号部
１２１  画像処理部
１２２  ＤＭＡ部
１２３  エンジンコントローラ
１２４  バスＩ／Ｆ
１２５  パネルコントローラ
１２６  プリンタエンジン
１２７ａ  プリンタ利用者用ＰＣ
１２７ｂ  プリンタ管理者用ＰＣ
１３１  画像読み込み＆画像書き込み部
１３２  メモリアドレス生成部
１３３  格子点データ記憶部
１３４  ガンマテーブル記憶部
１３５  ハーフトンパラメータ記憶部
１３６  しきい値マトリックス記憶部
１３７  色変換処理部
１３８  多値ＣＭＹＫライン記憶部
１３９  ハーフトン処理部
１４０、１５６、１６６  コントローラ
１５１  画像読み込み＆符号書き込み部
１５２、１５４、１６２、１６４  バッファ
１５３  ＪＰＥＧ符号化部
１５５、１６５  メモリアドレス生成部
１６１  符号読み込み部
１６３  ＪＰＥＧ復号部
２００  ＣＰＵ
２０１  メモリ
２０２  通信装置
２０３  表示装置
２０４  ハードディスク
２０５  キーボード
２０６  ＣＤ−ＲＯＭ
２０７  フレキシブルディスク
２１０  インターネット
２１１、２１２、２１３  装置
【図１】
2009147820.tif 000003
【図２】
2009147820.tif 000004
【図３】
2009147820.tif 000005
【図４】
2009147820.tif 000006
【図５】
2009147820.tif 000007
【図６】
2009147820.tif 000008
【図７】
2009147820.tif 000009
【図８】
2009147820.tif 000010
【図９】
2009147820.tif 000011
【図１１】
2009147820.tif 000012
【図１２】
2009147820.tif 000013
【図１３】
2009147820.tif 000014
【図１４】
2009147820.tif 000015
【図１０】
2009147820.tif 000016